Podtech/llm-jp-corpus-v4-ja_patent huggingface dataset:
【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
送受信部を有するＵＥ（User Equipment）であって、
前記送受信部は、
前記ＵＥの位置情報を、ＰｒｏＳｅ（Proximity Services）サーバに、一定期間毎に送信し、
前記ＰｒｏＳｅサーバから、１以上のアプリケーションの中の、あるアプリケーションに関連する第１の制御情報を受信し、
前記第１の制御情報は、前記他のＵＥが前記ＵＥに近接していることを通知するために使用され、
前記送受信部は、前記１以上のアプリケーションにそれぞれ対応する、複数の制御情報を受信することが可能である、
ことを特徴とするＵＥ。
【請求項２】
前記第１の制御情報は、前記他のＵＥと、無線ＬＡＮを利用して直接通信するための第１の情報を含むことを特徴とする請求項１に記載のＵＥ。
【請求項３】
前記第１の制御情報に前記第１の情報が含まれている場合、前記ＵＥは、前記第１の情報を使用して、前記他のＵＥと無線ＬＡＮを利用して直接通信を行うことを特徴とする請求項２に記載のＵＥ。
【請求項４】
ＵＥ（User Equipment）の通信方法であって、
前記ＵＥの位置情報を、ＰｒｏＳｅ（Proximity Services）サーバに、一定期間毎に送信する送信ステップと、
前記ＰｒｏＳｅサーバから、１以上のアプリケーションの中の、あるアプリケーションに関連する第１の制御情報を受信する受信ステップと、を含み
前記第１の制御情報は、前記他のＵＥが前記ＵＥに近接していることを通知するために使用され、
前記受信ステップは、前記１以上のアプリケーションにそれぞれ対応する、複数の制御情報を受信することが可能である、
ことを特徴とするＵＥの通信方法。
【請求項５】
前記第１の制御情報は、前記他のＵＥと、無線ＬＡＮを利用して直接通信するための第１の情報を含むことを特徴とする請求項４に記載のＵＥの通信方法。
【請求項６】
前記第１の制御情報に前記第１の情報が含まれている場合、前記ＵＥは、前記第１の情報を使用して、前記他のＵＥと無線ＬＡＮを利用して直接通信を行うことを特徴とする請求項５に記載のＵＥの通信方法。
【請求項７】
送受信部を有するＰｒｏＳｅ（Proximity Services）サーバであって、
前記送受信部は、
ＵＥ（User Equipment）の位置情報と、他のＵＥの位置情報とを、一定期間毎に受信し、
前記ＵＥに対して、１以上のアプリケーションの中の、あるアプリケーションに関連する第１の制御情報を送信し、
前記第１の制御情報は、前記ＵＥに、前記他のＵＥが前記ＵＥに近接していることを通知するために使用され、
前記送受信部は、前記１以上のアプリケーションにそれぞれ対応する、複数の制御情報を送信することが可能であり、
前記ＰｒｏＳｅサーバは、前記ＵＥと他のＵＥとが近隣に位置することを検出する機能を有する、
ことを特徴とするＰｒｏＳｅサーバ。
【請求項８】
前記第１の制御情報は、前記他のＵＥと、無線ＬＡＮを利用して直接通信するための第１の情報を含むことを特徴とする請求項７に記載のＰｒｏＳｅサーバ。
【請求項９】
前記送受信部は、前記ＵＥに前記他のＵＥと無線ＬＡＮを利用して直接通信を行わせる場合、前記第１の制御情報に前記第１の情報を含めて、送信することを特徴とする請求項８に記載のＰｒｏＳｅサーバ。
【請求項１０】
ＰｒｏＳｅ（Proximity Services）サーバの通信方法であって、
ＵＥ（User Equipment）の位置情報と、他のＵＥの位置情報とを、一定期間毎に受信する受信ステップと、
前記ＵＥに対して、１以上のアプリケーションの中の、あるアプリケーションに関連する第１の制御情報を送信する送信ステップと、を含み、
前記第１の制御情報は、前記ＵＥに、前記他のＵＥが前記ＵＥに近接していることを通知するために使用され、
前記送信ステップは、前記１以上のアプリケーションにそれぞれ対応する、複数の制御情報を送信することが可能であり、
前記ＰｒｏＳｅサーバは、前記ＵＥと他のＵＥとが近隣に位置することを検出する機能を有する、
ことを特徴とするＰｒｏＳｅサーバの通信方法。
【請求項１１】
前記第１の制御情報は、前記他のＵＥと、無線ＬＡＮを利用して直接通信するための第１の情報を含むことを特徴とする請求項１０に記載のＰｒｏＳｅサーバの通信方法。
【請求項１２】
前記送信ステップは、前記ＵＥに前記他のＵＥと無線ＬＡＮを利用して直接通信を行わせる場合、前記第１の制御情報に前記第１の情報を含めて、送信することを特徴とする請求項１１に記載のＰｒｏＳｅサーバの通信方法。
【手続補正２】
【補正対象書類名】明細書
【補正対象項目名】発明の名称
【補正方法】変更
【補正の内容】
【発明の名称】ＵＥ、ＵＥの通信方法、ＰｒｏＳｅサーバ及びＰｒｏＳｅサーバの通信方法
【手続補正書】
【提出日】令和1年8月16日(2019.8.16)
【手続補正１】
【補正対象書類名】特許請求の範囲
【補正対象項目名】全文
【補正方法】変更
【補正の内容】
【特許請求の範囲】
【請求項１】
動画像を構成するフレーム単位の原画像をブロック分割し符号化する画像符号化装置であって、
符号化対象ブロックに対する予測画像を生成する予測手段と、
前記予測画像のブロックに対して隣接する復号済み隣接信号を用いて、該予測画像のブロックに対して補正処理を施すことにより新たな予測画像のブロックを生成する補正手段と、
前記符号化対象ブロックと当該補正処理後の予測画像のブロックとの誤差を算出し、ブロック単位の予測残差信号を生成する生成手段と、
ブロック単位の予測残差信号をサブブロックに分割し、当該サブブロックに複数種の直交変換処理のいずれかを選択適用するサブブロック変換処理を行う変換手段と、を備えることを特徴とする画像符号化装置。
【請求項２】
前記予測手段は、前記符号化対象ブロックに対するインター予測、イントラブロックコピー予測、及びクロスコンポーネント予測のいずれかによって、ブロック単位の予測画像を生成することを特徴とする請求項１に記載の画像符号化装置。
【請求項３】
前記変換手段は、前記補正処理に基づいて、前記サブブロック変換処理を制御することを特徴とする請求項１又は２に記載の画像符号化装置。
【請求項４】
前記変換手段は、前記予測画像のブロックにおける前記補正処理の有無に基づいて、前記サブブロック変換処理を制御することを特徴とする請求項３に記載の画像符号化装置。
【請求項５】
動画像を構成するフレームをブロック分割し符号化された信号を復号する画像復号装置であって、
復号対象ブロックに対する予測画像を生成する予測手段と、
前記予測画像のブロックに対して隣接する復号済み隣接信号を用いて、該予測画像のブロックに対して補正処理を施すことにより新たな予測画像のブロックを生成する補正手段と、
画像符号化側によってサブブロック分割されていた予測残差信号の変換係数に対して複数種の逆直交変換処理のいずれかを選択適用して得たサブブロックから予測残差信号のブロックを再構成するサブブロック逆変換処理を行う逆変換手段と、を備えることを特徴とする画像復号装置。
【請求項６】
前記予測手段は、前記復号対象ブロックに対するインター予測、イントラブロックコピー予測、及びクロスコンポーネント予測のいずれかによって、ブロック単位の予測画像を生成することを特徴とする請求項５に記載の画像復号装置。
【請求項７】
前記逆変換手段は、前記補正処理に基づいて、前記サブブロック逆変換処理を制御することを特徴とする請求項５又は６に記載の画像復号装置。
【請求項８】
前記逆変換手段は、前記予測画像のブロックにおける前記補正処理の有無に基づいて、前記サブブロック逆変換処理を制御することを特徴とする請求項７に記載の画像復号装置。
【請求項９】
コンピュータを、請求項１乃至４のいずれか１項に記載の画像符号化装置として機能させるためのプログラム。
【請求項１０】
コンピュータを、請求項５乃至８のいずれか１項に記載の画像復号装置として機能させるためのプログラム。
【手続補正書】
【提出日】令和1年6月3日(2019.6.3)
【手続補正１】
【補正対象書類名】特許請求の範囲
【補正対象項目名】全文
【補正方法】変更
【補正の内容】
【特許請求の範囲】
【請求項１】
光が入射されるマイクロレンズと、
前記マイクロレンズからの光を電荷に変換する複数の光電変換部と、
前記マイクロレンズの光軸方向において前記マイクロレンズと前記複数の光電変換部との間に配置され、前記マイクロレンズが形成される面を有する樹脂層と、
前記マイクロレンズの光軸方向において前記樹脂層と前記複数の光電変換部との間に配置され、前記樹脂層が形成される面を有するカラーフィルタと、を備え、
前記樹脂層は、第１方向での前記カラーフィルタの前記樹脂層が形成される面から前記樹脂層の前記マイクロレンズが形成される面までの高さが前記第１方向とは異なる第２方向での前記カラーフィルタの前記樹脂層が形成される面から前記樹脂層の前記マイクロレンズが形成される面までの高さよりも薄く、前記第１方向における前記マイクロレンズの厚さの約１．１倍薄くなるように形成される撮像素子。
【請求項２】
請求項１に記載の撮像素子において、
前記マイクロレンズは、前記第１方向における曲率半径と前記第２方向における曲率半径とが異なる形状を有する撮像素子。
【請求項３】
請求項１又は請求項２に記載の撮像素子において、
前記複数の光電変換部は、前記マイクロレンズと樹脂層とにより集光された光を電荷に変換する撮像素子。
【請求項４】
請求項１から請求項３のいずれか一項に記載の撮像素子を備え、
前記撮像素子は、光学系からの光が入射される撮像装置。
【請求項５】
請求項４に記載の撮像装置において、
前記撮像素子からの信号に基づいて前記光学系の焦点状態を検出する検出部を備える撮像装置。
【請求項６】
請求項４又は請求項５に記載の撮像装置において、
前記撮像素子からの信号に基づいて画像データを生成する画像処理部を備える撮像装置。
【手続補正２】
【補正対象書類名】明細書
【補正対象項目名】発明の名称
【補正方法】変更
【補正の内容】
【発明の名称】撮像素子および撮像装置
【手続補正３】
【補正対象書類名】明細書
【補正対象項目名】０００１
【補正方法】変更
【補正の内容】
【０００１】
本発明は、撮像素子および撮像装置に関する。
【手続補正４】
【補正対象書類名】明細書
【補正対象項目名】０００９
【補正方法】変更
【補正の内容】
【０００９】
請求項１に記載の撮像素子は、光が入射されるマイクロレンズと、前記マイクロレンズからの光を電荷に変換する複数の光電変換部と、前記マイクロレンズの光軸方向において前記マイクロレンズと前記複数の光電変換部との間に配置され、前記マイクロレンズが形成される面を有する樹脂層と、前記マイクロレンズの光軸方向において前記樹脂層と前記複数の光電変換部との間に配置され、前記樹脂層が形成される面を有するカラーフィルタと、を備え、前記樹脂層は、第１方向での前記カラーフィルタの前記樹脂層が形成される面から前記樹脂層の前記マイクロレンズが形成される面までの高さが前記第１方向とは異なる第２方向での前記カラーフィルタの前記樹脂層が形成される面から前記樹脂層の前記マイクロレンズが形成される面までの高さよりも薄く、前記第１方向における前記マイクロレンズの厚さの約１．１倍薄くなるように形成される。
【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
電気的に接続される電気回路において、第１の電極と複数の第２の電極とを空間を有するように対向して配設し、当該空間内で少なくとも一部直接又は間接的に前記第１の電極と前記複数の第２の電極とを接触させ、
少なくとも前記第１の電極と前記複数の第２の電極との間の複数の接触箇所の周辺にメッキ液が流通した状態で、前記接触箇所と当該接触箇所の周辺の領域を含む前記空間内の前記第１の電極と前記複数の第２の電極とをメッキし、
相互に隣接する前記第２の電極間において、前記メッキにより形成されるそれぞれの前記第２の電極に対応するメッキ積層表面が相互に接触することで形成される遮蔽された空隙が生じる前にメッキ処理を停止させ、
前記第１の電極と前記複数の第２の電極間のメッキ部分を加熱処理することを特徴とする電極接続方法。
【請求項２】
電気的に接続される電気回路において、第１の電極と複数の第２の電極とを空間を有するように対向して配設し、当該空間内で少なくとも一部直接又は間接的に前記第１の電極と前記複数の第２の電極とを接触させ、
少なくとも前記第１の電極と前記複数の第２の電極との間の複数の接触箇所の周辺にメッキ液が流通した状態で、前記接触箇所と当該接触箇所の周辺の領域を含む前記空間内の前記第１の電極と前記第２の電極とをメッキし、
相互に隣接する前記第２の電極間において、前記メッキにより形成されるそれぞれの前記第２の電極に対応するメッキ積層表面が相互に接触することで形成される遮蔽された空隙が生じる前にメッキ処理を停止させ、
前記第１の電極と前記複数の第２の電極が、チップ間の電極又はチップと基板との間の電極であり、前記電極が直接又は間接的に接触した状態で前記チップ及び／又は前記基板を上下方向から挟持し、当該電極間が固定された状態でメッキ処理がなされることを特徴とする電極接続方法。
【請求項３】
電気回路の第１の電極と複数の第２の電極とが電気的に接続される電極接続構造であって、
前記第１の電極と前記複数の第２の電極とが、各第２の電極ごとに少なくとも１つの接触箇所で直接又は間接的に接触した状態で対向して配設され、
メッキ処理による積層が、前記接触箇所の周辺と、対向する前記第１の電極及び前記複数の第２の電極の表面とに形成されており、
相互に隣接する前記第２の電極間において、それぞれの前記第２の電極に対応して形成された前記メッキ処理による積層により遮蔽された空隙が形成されない形で前記第１の電極と前記複数の第２の電極とが接続されており、
前記第１の電極と前記複数の第２の電極が、それぞれチップ間の電極又はチップと基板との間の電極であり、メッキ処理時に前記電極が直接又は間接的に接触した状態で前記チップ及び／又は前記基板を上下方向から挟持する部材を有し、当該部材は弾性力で前記電極間を固定すると共に、配線として機能する金属体であることを特徴とする電極接続構造。
【請求項４】
電気的に接続される電気回路において、第１の電極と第２の電極とを空間を有するように対向して配設し、当該空間内で少なくとも一部直接又は間接的に前記第１の電極と前記第２の電極とを接触させ、
少なくとも前記第１の電極と前記第２の電極との接触箇所の周辺近傍にメッキ液が流通した状態で、前記接触箇所と当該接触箇所の周辺近傍の領域、及び前記接触箇所の周辺近傍と離隔した領域を含む前記空間内の前記第１の電極と前記第２の電極とをメッキし、
前記空間内の、前記接触箇所から空間を充塞していくメッキ積層表面と前記第１の電極及び前記第２の電極の対向する表面にそれぞれ形成されるメッキ積層表面とが前記メッキ液に接触しており、
前記空間内の前記接触箇所の周辺近傍から離隔した領域において、前記第１の電極の表面に形成される前記メッキ積層表面と前記第２の電極の表面に形成される前記メッキ積層表面とが接触することで形成される遮蔽された空隙が生じる前にメッキ処理を停止させることを特徴とする電極接続方法。
【請求項５】
電気回路の第１の電極と第２の電極とが電気的に接続される電極接続構造であって、
前記第１の電極と第２の電極とが、少なくとも１つの接触箇所で直接又は間接的に接触した状態で対向して配設され、
メッキ処理による積層が、前記接触箇所の周辺近傍と、対向する前記第１の電極及び前記第２の電極のそれぞれの対向する表面とに形成されており、
前記対向する第１の電極と第２の電極との対向する表面の領域であって、前記接触箇所の周辺近傍の領域はメッキ処理による積層で充塞されて接続されており、前記接触箇所の周辺近傍の領域から離隔した部分は、対向する第１の電極と第２の電極のそれぞれの対向する表面のメッキ処理による積層により遮蔽された空隙が形成されない形で分離されていることを特徴とする電極接続構造。
【手続補正書】
【提出日】令和1年10月16日(2019.10.16)
【手続補正１】
【補正対象書類名】特許請求の範囲
【補正対象項目名】請求項２
【補正方法】変更
【補正の内容】
【請求項２】
導電性の外囲器の内部に、所定温度で熱応動する感温手段と、前記外囲器の開口部に前記外囲器と電気絶縁されて取付けた固定接点を有する第１リ−ドと、前記外囲器の外端に接続された第２リ−ドと、前記外囲器に収容されて前記固定接点に当接し前記感温手段に係留された可動接点と、前記外囲器に収容されて前記可動接点を押圧作用させる弱圧縮ばねとを備え、前記感温手段は、少なくとも、第２リード側に開口端を有する筒状ケースと、この筒状ケースに収容した所定の動作温度で溶融する感温材と、この感温材を押圧する強圧縮ばねを有した感温ペレット型温度ヒューズ。
【手続補正書】
【提出日】令和1年10月9日(2019.10.9)
【手続補正１】
【補正対象書類名】明細書
【補正対象項目名】００３８
【補正方法】変更
【補正の内容】
【００３８】
上述した熱処理における熱処理条件は、カーボンシート９の炭素が、チタン基材３Ａに拡散することができるのであれば、その条件は特に限定されないが、より好ましくは、加熱温度が５００℃〜６５０℃であり、かつ、加熱時間が２〜４時間の加熱条件である。このような加熱条件で、熱処理を行うことにより、チタン基材３Ａにカーボンシート９の炭素が拡散し易くなる。
【手続補正２】
【補正対象書類名】図面
【補正対象項目名】図９Ａ
【補正方法】変更
【補正の内容】
【図９Ａ】
2019106345.tif 000001
【手続補正３】
【補正対象書類名】図面
【補正対象項目名】図１０Ａ
【補正方法】変更
【補正の内容】
【図１０Ａ】
2019106345.tif 000002
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
複数種類の状態のうちのいずれかに遊技状態を制御する状態制御手段と、
導出を許容する表示結果を決定する事前決定手段と、
表示結果を導出させるために操作される導出操作手段と、
表示結果を導出させる導出制御を行う導出制御手段と、を備え、
前記状態制御手段は、
特定状態において前記事前決定手段によって特別表示結果の導出が許容された場合、当該特別表示結果が導出されたときに特別状態へと遊技状態を制御する一方で、当該特別表示結果が導出されなかったときに当該特別表示結果の導出を持ち越した持越状態へと遊技状態を制御し、
前記特定状態、前記持越状態、および前記特別状態のいずれにおいても、終了条件が成立することによって所定状態へと遊技状態を制御し、
前記持越状態は、前記特定状態および前記特別状態のいずれよりも遊技用価値の付与率が高く、
前記導出制御手段は、前記事前決定手段によって遊技用価値の付与を伴う付与表示結果の導出が許容された場合、前記特定状態であるときと前記持越状態であるときとで異なる導出制御を行うことにより、前記特定状態における遊技用価値の付与率よりも前記持越状態における遊技用価値の付与率を高くする、スロットマシン。
【手続補正２】
【補正対象書類名】明細書
【補正対象項目名】０００４
【補正方法】変更
【補正の内容】
【０００４】
従来から、ＢＢ中にしか当選しないＲＢを設けるとともに、ＢＢ中にＲＢが当選し、かつ当該ＲＢに対応する表示結果が導出されなかったときにはＲＢ内部当選状態に遊技状態を遷移させるスロットマシンがあった（たとえば、特許文献１参照）。そして、このスロットマシンにおいては、ＲＢ内部当選状態における再遊技役の当選確率が、ＲＢ内部当選前のＢＢ中における再遊技役の当選確率よりも高くなっていた。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
この発明は、上述したスロットマシンの実情に鑑み考え出されたスロットマシンを提供することである。
【手続補正５】
【補正対象書類名】明細書
【補正対象項目名】０００８
【補正方法】変更
【補正の内容】
【０００８】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
複数種類の状態のうちのいずれかに遊技状態を制御する状態制御手段と、
導出を許容する表示結果を決定する事前決定手段と、
表示結果を導出させるために操作される導出操作手段と、
表示結果を導出させる導出制御を行う導出制御手段と、を備え、
前記状態制御手段は、
特定状態において前記事前決定手段によって特別表示結果の導出が許容された場合、当該特別表示結果が導出されたときに特別状態へと遊技状態を制御する一方で、当該特別表示結果が導出されなかったときに当該特別表示結果の導出を持ち越した持越状態へと遊技状態を制御し、
前記特定状態、前記持越状態、および前記特別状態のいずれにおいても、終了条件が成立することによって所定状態へと遊技状態を制御し、
前記持越状態は、前記特定状態および前記特別状態のいずれよりも遊技用価値の付与率が高く、
前記導出制御手段は、前記事前決定手段によって遊技用価値の付与を伴う付与表示結果の導出が許容された場合、前記特定状態であるときと前記持越状態であるときとで異なる導出制御を行うことにより、前記特定状態における遊技用価値の付与率よりも前記持越状態における遊技用価値の付与率を高くする。
スロットマシンは、以下のように構成されてもよい。
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシン（たとえば、スロットマシン）において、
複数種類の状態のうちのいずれかに遊技状態を制御する状態制御手段（たとえば、メイン制御部４１による遊技状態を遷移させる処理）と、
導出を許容する表示結果を決定する事前決定手段（たとえば、メイン制御部４１による内部抽選を実行する処理）とを備え、
前記状態制御手段は、
特定状態（たとえば、ＢＢ１一般中における非持越し中）において前記事前決定手段によって特別表示結果の導出が許容された場合（たとえば、ＲＢ２当選）、当該特別表示結果が導出されたときに特別状態（たとえば、ＲＢ２中）へと遊技状態を制御する一方で、当該特別表示結果が導出されなかったときに当該特別表示結果の導出を持ち越した持越状態（たとえば、ＢＢ１一般中におけるＲＢ２持越中）へと遊技状態を制御し（たとえば、図５に示す遊技状態の遷移）、
前記特定状態、前記持越状態、および前記特別状態のいずれにおいても、終了条件が成立すること（たとえば、３６０枚を超える払い出し）によって所定状態（たとえば、非内部中）へと遊技状態を制御し（たとえば、図５に示す遊技状態の遷移）、
前記持越状態において前記終了条件が成立した後の前記所定状態（たとえば、非内部中における有利ＲＴ）と、前記特定状態および前記特別状態のいずれかにおいて前記終了条件が成立した後の前記所定状態（たとえば、非内部中における不利ＲＴ）とでは、遊技者にとっての有利度が異なり（たとえば、図１０に示すように、有利ＲＴと不利ＲＴとではリプレイ当選確率が異なる）、
前記スロットマシンは、遊技状態が前記所定状態に維持されたままで遊技用価値の付与率が高まる特別遊技（たとえば、ＢＢ２）を実行する特別遊技実行手段（たとえば、メイン制御部４１による貫通型のＢＢ２を実行する処理）をさらに備える、スロットマシン。
【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
互いに異なる複数の波長のそれぞれのパルス光が照射された被検体から伝搬する被検体信号を受信することにより得られた前記複数の波長に対応する複数の受信信号を処理する被検体情報取得装置であって、
前記複数の波長のそれぞれのパルス光のパルス形状に応じて、前記複数の受信信号の少なくともいずれかを補正する補正部と、
前記補正部により補正された前記複数の受信信号を用いて、前記被検体の分光情報を取得する情報取得部と、
を有することを特徴とする被検体情報取得装置。
【請求項２】
前記被検体信号は、前記被検体から伝搬する光音響波である
ことを特徴とする請求項１に記載の被検体情報取得装置。
【請求項３】
前記被検体信号は、前記パルス光が照射されたのち、前記被検体における吸収および散乱を経て伝搬してきた光である
ことを特徴とする請求項１に記載の被検体情報取得装置。
【請求項４】
前記情報取得部は、前記分光情報として、前記被検体の酸素飽和度を取得する
ことを特徴とする請求項１ないし３のいずれか１項に記載の被検体情報取得装置。
【請求項５】
前記パルス形状は、前記パルス光の時間強度変化を示す
ことを特徴とする請求項１ないし４のいずれか１項に記載の被検体情報取得装置。
【請求項６】
前記補正部は、前記複数の波長（波長１〜ｎ）のそれぞれのパルス光の前記パルス形状をＰ１（ｔ）〜Ｐｎ（ｔ）とし、前記複数の受信信号をＳ１（ｔ）〜Ｓｎ（ｔ）としたとき、前記複数の波長のうち基準波長の前記パルス光の前記パルス形状と、他の波長の前記パルス光の前記パルス形状の違いが、前記複数の受信信号に及ぼす影響を低減するような補正を行う
ことを特徴とする請求項１ないし５のいずれか１項に記載の被検体情報取得装置。
【請求項７】
前記補正部は、前記他の波長の前記パルス光に由来する前記受信信号に、前記基準波長の前記パルス光の前記パルス形状および前記他の波長の前記パルス光の前記パルス形状を用いた演算を行うことにより前記補正を行う
ことを特徴とする請求項６に記載の被検体情報取得装置。
【請求項８】
前記補正部は、前記パルス形状として前記パルス光のパルス幅を利用するものであり、前記基準波長は、前記複数の波長のうち前記パルス幅がもっとも大きい波長である
ことを特徴とする請求項６に記載の被検体情報取得装置。
【請求項９】
前記補正部は、前記他の波長の前記パルス光に由来する前記受信信号が、前記他の波長の前記パルス光の前記パルス幅が、前記基準波長の前記パルス光の前記パルス幅であった場合に得られる形状となるように、前記補正を行う
ことを特徴とする請求項８に記載の被検体情報取得装置。
【請求項１０】
前記情報取得部は、
前記他の波長の前記パルス光に対応する前記受信信号に基づいて前記被検体の特性情報を取得し、
前記特性情報を用いて前記分光情報をマスキングする
ことを特徴とする請求項９に記載の被検体情報取得装置。
【請求項１１】
前記補正部は、前記パルス形状をガウス関数で近似することにより前記パルス幅を取得する
ことを特徴とする請求項８ないし１０のいずれか１項に記載の被検体情報取得装置。
【請求項１２】
前記補正部は、前記複数の受信信号から、前記複数の波長のそれぞれのパルス光の前記パルス形状の影響を差し引くことにより、前記補正を行う
ことを特徴とする請求項１ないし１１のいずれか１項に記載の被検体情報取得装置。
【請求項１３】
前記補正部は、前記補正を周波数領域で行う
ことを特徴とする請求項１ないし１２のいずれか１項のいずれか１項に記載の被検体情報取得装置。
【請求項１４】
前記補正部は、前記複数の波長のそれぞれのパルス光の前記パルス形状に起因する、前記複数の受信信号のパルス幅の差を小さくするように、前記補正を行う
ことを特徴とする請求項１ないし１３のいずれか１項に記載の被検体情報取得装置。
【請求項１５】
前記複数の波長のそれぞれのパルス光を前記被検体に照射する照射部と、
前記被検体信号を受信することにより前記複数の受信信号に変換する受信部と、
を有することを特徴とする請求項１ないし１４のいずれか１項に記載の被検体情報取得装置。
【請求項１６】
前記補正部は、前記複数の波長のそれぞれのパルス光に対する前記受信部のインパルス応答を取得して前記補正に用いる
ことを特徴とする請求項１５に記載の被検体情報取得装置。
【請求項１７】
互いに異なる複数の波長のそれぞれのパルス光が照射された被検体から伝搬する被検体信号を受信することにより取得された前記複数の波長に対応する複数の受信信号を処理する信号処理方法であって、
前記複数の波長のそれぞれのパルス光のパルス形状に応じて、前記複数の受信信号の少なくともいずれかを補正するステップと、
前記補正するステップで補正された前記複数の受信信号を用いて、前記被検体の分光情報を取得するステップと、
を有することを特徴とする信号処理方法。
【請求項１８】
請求項１７に記載の信号処理方法をコンピュータに実行させるプログラム。
【手続補正２】
【補正対象書類名】明細書
【補正対象項目名】０００６
【補正方法】変更
【補正の内容】
【０００６】
本発明は、以下の構成を採用する。すなわち、
互いに異なる複数の波長のそれぞれのパルス光が照射された被検体から伝搬する被検体信号を受信することにより得られた前記複数の波長に対応する複数の受信信号を処理する被検体情報取得装置であって、
前記複数の波長のそれぞれのパルス光のパルス形状に応じて、前記複数の受信信号の少なくともいずれかを補正する補正部と、
前記補正部により補正された前記複数の受信信号を用いて、前記被検体の分光情報を取得する情報取得部と、
を有することを特徴とする被検体情報取得装置である。
【手続補正３】
【補正対象書類名】明細書
【補正対象項目名】０００７
【補正方法】変更
【補正の内容】
【０００７】
本発明はまた、以下の構成を採用する。すなわち、
互いに異なる複数の波長のそれぞれのパルス光が照射された被検体から伝搬する被検体信号を受信することにより取得された前記複数の波長に対応する複数の受信信号を処理する信号処理方法であって、
前記複数の波長のそれぞれのパルス光のパルス形状に応じて、前記複数の受信信号の少なくともいずれかを補正するステップと、
前記補正するステップで補正された前記複数の受信信号を用いて、前記被検体の分光情報を取得するステップと、
を有することを特徴とする信号処理方法である。
【手続補正書】
【提出日】平成31年1月21日(2019.1.21)
【手続補正１】
【補正対象書類名】明細書
【補正対象項目名】０００４
【補正方法】変更
【補正の内容】
【０００４】
しかしながら、従来のスロットマシンでは、メイン制御基板で役の抽選を行い、サブ制御基板に抽選結果のコマンドを送信し、サブ制御基板が抽選結果に関する報知を実行するようにしているが、メイン制御基板からのコマンドを正確に受信しなかった場合、不自然な演出を実行してしまい、遊技の興趣が低下する虞があった。本発明の目的は、遊技の興趣の低下を防止することである。
【手続補正２】
【補正対象書類名】明細書
【補正対象項目名】０００５
【補正方法】変更
【補正の内容】
【０００５】
以上の課題を解決するため、請求項１に記載の発明は、
複数の図柄を変動表示可能な複数のリールと、前記複数のリールの変動表示を伴うゲームの実行毎に役の内部抽選を実行可能な遊技制御手段と、前記複数のリールを個別に停止表示させるための複数の停止操作部と、を備え、
前記複数の停止操作部の操作により停止表示させたゲームの結果が内部抽選で当選した役に対応する停止図柄態様になると、当該役の入賞が成立するスロットマシンにおいて、
前記遊技制御手段からの所定のコマンドに基づき演出を制御する演出制御手段と、
前記演出制御手段により制御される表示装置と、
前記遊技制御手段により制御され、前記内部抽選の結果に関する情報を表示可能な表示手段と、を備え、
前記内部抽選で当選する役には、前記複数のリールが所定の停止順序で停止することで入賞が成立する特定役を含み、
前記遊技制御手段は、
前記所定の停止順序に関する情報を前記表示手段に表示するとともに、前記特定役に関するコマンドを前記演出制御手段に送信し、
前記演出制御手段は、
前記遊技制御手段からの前記特定役に関するコマンドに基づき、前記所定の停止順序を前記表示装置に表示可能であり、
前記遊技制御手段からの前記特定役に関するコマンドを取りこぼした際に、前記所定の停止順序を表示しないことを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明によれば、遊技の興趣の低下を防止できる。
【手続補正７】
【補正対象書類名】特許請求の範囲
【補正対象項目名】全文
【補正方法】変更
【補正の内容】
【特許請求の範囲】
【請求項１】
複数の図柄を変動表示可能な複数のリールと、前記複数のリールの変動表示を伴うゲームの実行毎に役の内部抽選を実行可能な遊技制御手段と、前記複数のリールを個別に停止表示させるための複数の停止操作部と、を備え、
前記複数の停止操作部の操作により停止表示させたゲームの結果が内部抽選で当選した役に対応する停止図柄態様になると、当該役の入賞が成立するスロットマシンにおいて、
前記遊技制御手段からの所定のコマンドに基づき演出を制御する演出制御手段と、
前記演出制御手段により制御される表示装置と、
前記遊技制御手段により制御され、前記内部抽選の結果に関する情報を表示可能な表示手段と、を備え、
前記内部抽選で当選する役には、前記複数のリールが所定の停止順序で停止することで入賞が成立する特定役を含み、
前記遊技制御手段は、
前記所定の停止順序に関する情報を前記表示手段に表示するとともに、前記特定役に関するコマンドを前記演出制御手段に送信し、
前記演出制御手段は、
前記遊技制御手段からの前記特定役に関するコマンドに基づき、前記所定の停止順序を前記表示装置に表示可能であり、
前記遊技制御手段からの前記特定役に関するコマンドを取りこぼした際に、前記所定の停止順序を表示しないことを特徴とするスロットマシン。
【手続補正書】
【提出日】平成30年12月17日(2018.12.17)
【手続補正１】
【補正対象書類名】明細書
【補正対象項目名】０００６
【補正方法】変更
【補正の内容】
【０００６】
以上の課題を解決するため、請求項１に記載の発明は、
複数の図柄を変動表示可能な複数のリールと、前記複数のリールの変動表示を伴うゲームの実行毎に役の内部抽選を実行可能な遊技制御手段と、前記複数のリールを個別に停止表示させるための複数の停止操作部と、を備え、
前記複数の停止操作部の操作により停止表示させたゲームの結果が内部抽選で当選した役に対応する停止図柄態様になると、当該役の入賞が成立するスロットマシンにおいて、
前記遊技制御手段により制御され、前記内部抽選の結果に関する情報を表示可能な表示手段を備え、
前記内部抽選で当選する役には、前記複数のリールが所定の停止順序で停止することで入賞が成立する特定役を含み、
前記遊技制御手段は、
前記表示手段における複数の発光部の点灯態様により、前記特定役を成立させるための前記所定の停止順序を報知可能であり、
報知対象のゲームにおける前記複数の停止操作部の操作が終了したことに基づき前記表示手段における報知を終了することを特徴とする。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
複数の図柄を変動表示可能な複数のリールと、前記複数のリールの変動表示を伴うゲームの実行毎に役の内部抽選を実行可能な遊技制御手段と、前記複数のリールを個別に停止表示させるための複数の停止操作部と、を備え、
前記複数の停止操作部の操作により停止表示させたゲームの結果が内部抽選で当選した役に対応する停止図柄態様になると、当該役の入賞が成立するスロットマシンにおいて、
前記遊技制御手段により制御され、前記内部抽選の結果に関する情報を表示可能な表示手段を備え、
前記内部抽選で当選する役には、前記複数のリールが所定の停止順序で停止することで入賞が成立する特定役を含み、
前記遊技制御手段は、
前記表示手段における複数の発光部の点灯態様により、前記特定役を成立させるための前記所定の停止順序を報知可能であり、
報知対象のゲームにおける前記複数の停止操作部の操作が終了したことに基づき前記表示手段における報知を終了することを特徴とするスロットマシン。
【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
物品を載置可能な載置部を有する膨出部と、
前記載置部に載置された前記物品に記録された情報を読み取る読取部と、
前記情報を用いてゲーム処理を実行するゲーム実行手段と、
を備えたゲーム装置であって、
前記膨出部は、第１膨出部と当該第１膨出部を覆うように配置される第２膨出部と、を含み、
前記第２膨出部は、前記載置部及び前記物品の前記載置部上の載置位置を決める位置決め部を備え、
前記載置部における載置面は、水平面に対して傾斜しているゲーム装置。
【請求項２】
前記第２膨出部は、透明または半透明の部材で形成される請求項１に記載のゲーム装置。
【請求項３】
前記位置決め部は、前記物品の前記載置面上での移動を規制する高さを有する請求項１または２に記載のゲーム装置。
【請求項４】
前記位置決め部は、前記物品における前記情報が記録された所定領域が前記読取部に対応する位置となるように位置決めする請求項１乃至３のいずれか１項に記載のゲーム装置。
【請求項５】
前記位置決め部は、前記載置部から立設された少なくとも二つの突部または互いに交差する少なくとも二つの突条を備える請求項１乃至４のいずれか１項に記載のゲーム装置。
【請求項６】
前記載置面は、載置された前記物品が摺動移動可能な平面である請求項１乃至５のいずれか１項に記載のゲーム装置。
【請求項７】
前記載置面は、少なくとも前記情報が記録された所定領域を含む前記物品の一部を載置可能な大きさに設定される請求項１乃至６のいずれか１項に記載のゲーム装置。
【請求項８】
前記膨出部は、前記載置面に隣接し、前記載置面から下方へ湾曲する縁部を備える請求項１乃至７のいずれか１項に記載のゲーム装置。
【請求項９】
プレイヤの操作を受け付ける操作部を有し、前記読取部が設置される本体部をさらに備え、
前記載置面は、前記本体部の奥側に対して手前側へ向けて下方に傾斜している請求項１乃至８のいずれか１項に記載のゲーム装置。
【請求項１０】
前記本体部の上面は、前記操作部が配置される平面部を備える第１領域と、前記第１領域に隣接して前記本体部の手前側に配置される第２領域とを備え、
少なくとも前記読取部の一部は前記第２領域に配置される請求項９に記載のゲーム装置。
【請求項１１】
前記第２領域は、前記本体部の奥側に対して手前側へ向けて下方に傾斜し、前記平面部より大きく傾斜する傾斜面を備え、
前記読取部は、前記本体部の幅方向における中央に配置される請求項１０に記載のゲーム装置。
【請求項１２】
水平面に対する前記載置部の傾斜角度は、前記第１領域の傾斜角度より大きく、前記第２領域の傾斜角度より小さく形成される請求項１１に記載のゲーム装置。
【請求項１３】
前記第２膨出部は、前記本体部に対して着脱して他の前記第２膨出部に交換可能であり、
前記第２膨出部を交換することで、少なくとも前記位置決め部及び載置部のいずれか一方を変更可能である請求項９乃至１２のいずれか１項に記載のゲーム装置。
【請求項１４】
物品を載置可能な載置部を有する膨出部と、
前記載置部に載置された前記物品に記録された情報を読み取る読取部と、
を備えた読取装置であって、
前記膨出部は、第１膨出部と当該第１膨出部を覆うように配置される第２膨出部と、を含み、
前記第２膨出部は、前記載置部及び前記物品の前記載置部上の載置位置を決める位置決め部を備え、
設置時において、前記載置部における載置面は、水平面に対して傾斜している読取装置。
【請求項１５】
物品と、該物品から読み取られた情報を用いてゲーム処理を実行するゲーム実行手段を備えるゲーム装置と、を含むゲームシステムであって、
前記ゲーム装置は、
前記物品を載置可能な載置部を有する膨出部と、
前記載置部に載置された前記物品に記録された情報を読み取る読取部と、
を備え、
前記膨出部は、第１膨出部と当該第１膨出部を覆うように配置される第２膨出部と、を含み、
前記第２膨出部は、前記載置部及び前記物品の前記載置部上の載置位置を決める位置決め部を備え、
前記載置部における載置面は、水平面に対して傾斜しているゲームシステム。
【手続補正２】
【補正対象書類名】明細書
【補正対象項目名】発明の名称
【補正方法】変更
【補正の内容】
【発明の名称】ゲーム装置、読取装置及びゲームシステム
【手続補正３】
【補正対象書類名】明細書
【補正対象項目名】０００１
【補正方法】変更
【補正の内容】
【０００１】
本発明は、ゲーム装置、読取装置及びゲームシステムに関するものである。
【手続補正４】
【補正対象書類名】明細書
【補正対象項目名】０００５
【補正方法】変更
【補正の内容】
【０００５】
本発明は、物品の取り扱い性を向上させたゲーム装置、読取装置及びゲームシステムを提供する。
【手続補正５】
【補正対象書類名】明細書
【補正対象項目名】０００６
【補正方法】変更
【補正の内容】
【０００６】
本発明のゲーム装置は、物品を載置可能な載置部を有する膨出部と、載置部に載置された物品に記録された情報を読み取る読取部と、情報を用いてゲーム処理を実行するゲーム実行手段と、を備えたゲーム装置であって、膨出部は、第１膨出部と当該第１膨出部を覆うように配置される第２膨出部と、を含み、第２膨出部は、載置部及び物品の載置部上の載置位置を決める位置決め部を備え、載置部は、水平面に対して傾斜している。
【手続補正６】
【補正対象書類名】明細書
【補正対象項目名】０００７
【補正方法】変更
【補正の内容】
【０００７】
本発明によれば、物品の取り扱い性を向上させたゲーム装置、読取装置及びゲームシステムを提供することができる。
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
始動口への遊技球の入球に起因して大当りを生起させるか否かを抽選し、
該抽選結果を変動表示を行って報知する弾球遊技機であって、
未だ実施していない変動表示に関する情報について、所定数を限度に保留記憶する保留記憶手段と、
前記抽選以前に判定を行う先読判定手段と、
前記保留記憶されている数に対応した保留表示を行う保留数表示手段と、
前記変動表示を行っていることを示すための変動中表示を行う変動中表示手段と、
前記先読判定手段の判定結果に基づいて先読演出を実施する先読演出手段と、を備え、
前記先読演出は、
前記保留表示および前記変動中表示の表示態様を変化させる保留演出と、
複数の前記変動表示に亘って連続して実施する連続演出と、を備え、
前記保留演出と前記連続演出とのいずれかのみを実行する第１実行態様と、
少なくとも、前記先読演出の実施が決定された後の次回の変動表示時には、前記保留演出と前記連続演出との双方が実行される第２実行態様と、
いずれか一方の前記先読演出を実行してから、少なくとも前記次回の変動表示時よりも後の変動表示にて他方も一方の実行期間中に開始する第３実行態様と、を備え、
前記判定結果が特定の値なら、前記第１実行態様よりも、前記第２実行態様または前記第３実行態様を高確率で選択し、前記第２実行態様と前記第３実行態様は、前記判定結果に応じて選択率が異なる
ことを特徴とする弾球遊技機。
【手続補正２】
【補正対象書類名】明細書
【補正対象項目名】０００８
【補正方法】変更
【補正の内容】
【０００８】
請求項１記載の弾球遊技機は、
始動口への遊技球の入球に起因して大当りを生起させるか否かを抽選し、
該抽選結果を変動表示を行って報知する弾球遊技機であって、
未だ実施していない変動表示に関する情報について、所定数を限度に保留記憶する保留記憶手段と、
前記抽選以前に判定を行う先読判定手段と、
前記保留記憶されている数に対応した保留表示を行う保留数表示手段と、
前記変動表示を行っていることを示すための変動中表示を行う変動中表示手段と、
前記先読判定手段の判定結果に基づいて先読演出を実施する先読演出手段と、を備え、
前記先読演出は、
前記保留表示の表示態様および前記変動中表示を変化させる保留演出と、
複数の前記変動表示に亘って連続して実施する連続演出と、を備え、
前記保留演出と前記連続演出とのいずれかのみを実行する第１実行態様と、
少なくとも、前記先読演出の実施が決定された後の次回の変動表示時には、前記保留演出と前記連続演出との双方が実行される第２実行態様と、
いずれか一方の前記先読演出を実行してから、少なくとも前記次回の変動表示時よりも後の変動表示にて他方も一方の実行期間中に開始する第３実行態様と、を備え、
前記判定結果が特定の値なら、前記第１実行態様よりも、前記第２実行態様または前記第３実行態様を高確率で選択し、前記第２実行態様と前記第３実行態様は、前記判定結果に応じて選択率が異なる
ことを特徴とする弾球遊技機である。
【手続補正３】
【補正対象書類名】明細書
【補正対象項目名】００１７
【補正方法】削除
【補正の内容】
【手続補正４】
【補正対象書類名】明細書
【補正対象項目名】００１９
【補正方法】削除
【補正の内容】
【手続補正書】
【提出日】平成31年1月8日(2019.1.8)
【手続補正１】
【補正対象書類名】特許請求の範囲
【補正対象項目名】全文
【補正方法】変更
【補正の内容】
【特許請求の範囲】
【請求項１】
イ．先端にオスルアーよりなる被係止部、後端にメスルアーよりなる係止部、及び側面にメスルアーよりなる係止部を有するＴ字管等の三叉の分岐管と、ロ．前記分岐管先端の被係止部に接続可能な１８Ｇ以上の太さを有する外套型本穿刺針と、ハ．前記分岐管後端の係止部に係止可能なオスルアーよりなる被係止部を備え、前記被係止部を分岐管後端の係止部に挿入し固定した場合、分岐管の先端の被係止部に接続した前記本穿刺針先端から先端が数ｍｍ以上突出する長さを有する２２Ｇの硬質案内管と、から構成された深部静脈穿刺具。
【請求項２】
案内管に屈曲部を設けたことを特徴とする、請求項１記載の深部静脈穿刺具。
【請求項３】
外套型本穿刺針の針先にバックカットを設けたことを特徴とする、請求項１又は２記載の深部静脈穿刺具。
【誤訳訂正書】
【提出日】令和1年6月19日(2019.6.19)
【誤訳訂正１】
【訂正対象書類名】明細書
【訂正対象項目名】００８１
【訂正方法】変更
【訂正の内容】
【００８１】
結果
２４時間後では、ＨＡを用いずに移植片を注入した「対照」細胞は、肝臓と肺の両方で見つかった。しかし、７２時間後では、前記「対照」細胞はほとんど存在しておらず、肝臓内には、識別可能な「対照」細胞がほんの少量残存していた。これとは対照的に、本発明に従って移植された細胞では、肝臓に上手く融合した細胞群が２４時間後及び７２時間後にいずれも認められ、２週間後もまだ残存していた。また、この幹細胞ニッチ移植によって移植された細胞は、ランダム化組織試料アッセイでの分析によれば、ほとんど肝臓組織にだけ位置していることが分かり、しかも他の組織では見つからなかった（図７）。
【手続補正書】
【提出日】平成30年11月19日(2018.11.19)
【手続補正１】
【補正対象書類名】特許請求の範囲
【補正対象項目名】全文
【補正方法】変更
【補正の内容】
【特許請求の範囲】
【請求項１】
測定光を照射した被検眼からの戻り光と前記測定光に対応する参照光とを合波して得た光を互いに異なる偏光の光に分割して得た複数の光に基づいて、前記被検眼の位相遅延情報及び偏光の均一度を示す情報を生成する信号処理手段と、
前記被検眼の深度方向における前記位相遅延情報の変化量が閾値よりも大きい前記被検眼の第１の領域であって、前記第１の領域における前記偏光の均一度が閾値よりも大きい第２の領域を、前記被検眼の線維化の候補領域として検出する検出手段と、
を有することを特徴とする画像処理装置。
【請求項２】
前記信号処理手段は、前記複数の光に基づいて前記被検眼の進相軸方位を示す情報を生成し、
前記検出手段は、前記第２の領域における前記進相軸方位のばらつき度が閾値よりも小さい第３の領域を、前記線維化の候補領域として検出することを特徴とする請求項１に記載の画像処理装置。
【請求項３】
測定光を照射した被検眼からの戻り光と前記測定光に対応する参照光とを合波して得た光を互いに異なる偏光の光に分割して得た複数の光に基づいて、前記被検眼の強度情報及び進相軸方位を示す情報を生成する信号処理手段と、
前記被検眼の深度方向における前記強度情報の変化量が閾値よりも大きい前記被検眼の第１の領域であって、前記第１の領域における前記進相軸方位のばらつき度が閾値よりも小さい第２の領域を、前記被検眼の線維化の候補領域として検出する検出手段と、
を有することを特徴とする画像処理装置。
【請求項４】
前記信号処理手段は、前記複数の光に基づいて前記被検眼の偏光の均一度を示す情報を生成し、
前記検出手段は、前記第１の領域における前記偏光の均一度が閾値よりも大きい第３の領域であって、前記第３の領域における前記第２の領域を、前記線維化の候補領域として検出することを特徴とする請求項３に記載の画像処理装置。
【請求項５】
前記検出手段は、前記第１の領域を検出した後に、前記検出された第１の領域における前記第２の領域を検出することにより、前記線維化の候補領域を検出することを特徴とする請求項１乃至４のいずれか１項に記載の画像処理装置。
【請求項６】
前記線維化の候補領域の位置を示す表示形態を表示手段に表示させる表示制御手段を更に有することを特徴とする請求項１乃至５のいずれか１項に記載の画像処理装置。
【請求項７】
前記複数の光に基づいて生成された前記被検眼の輝度断層画像に、前記線維化の候補領域の位置を示す表示形態を重畳した画像を生成する画像生成手段と、を更に有し、
前記表示制御手段は、前記生成された画像を前記表示手段に表示させることを特徴とする請求項６に記載の画像処理装置。
【請求項８】
測定光を照射した被検眼からの戻り光と前記測定光に対応する参照光とを合波して得た光を互いに異なる偏光の光に分割して得た複数の光に基づいて、前記被検眼の位相遅延情報及び偏光の均一度を示す情報を生成する工程と、
前記被検眼の深度方向における前記位相遅延情報の変化量が閾値よりも大きい前記被検眼の第１の領域であって、前記第１の領域における前記偏光の均一度が閾値よりも大きい第２の領域を、前記被検眼の線維化の候補領域として検出する工程と、
を有することを特徴とする画像処理方法。
【請求項９】
測定光を照射した被検眼からの戻り光と前記測定光に対応する参照光とを合波して得た光を互いに異なる偏光の光に分割して得た複数の光に基づいて、前記被検眼の強度情報及び進相軸方位を示す情報を生成する工程と、
前記被検眼の深度方向における前記強度情報の変化量が閾値よりも大きい前記被検眼の第１の領域であって、前記第１の領域における前記進相軸方位のばらつき度が閾値よりも小さい第２の領域を、前記被検眼の線維化の候補領域として検出する工程と、
を有することを特徴とする画像処理方法。
【請求項１０】
請求項８または９に記載の画像処理方法の各工程をコンピュータに実行させるプログラム。
【手続補正２】
【補正対象書類名】明細書
【補正対象項目名】００１１
【補正方法】変更
【補正の内容】
【００１１】
本発明に係る画像処理装置の一つは、
測定光を照射した被検眼からの戻り光と前記測定光に対応する参照光とを合波して得た光を互いに異なる偏光の光に分割して得た複数の光に基づいて、前記被検眼の位相遅延情報及び偏光の均一度を示す情報を生成する信号処理手段と、
前記被検眼の深度方向における前記位相遅延情報の変化量が閾値よりも大きい前記被検眼の第１の領域であって、前記第１の領域における前記偏光の均一度が閾値よりも大きい第２の領域を、前記被検眼の線維化の候補領域として検出する検出手段と、を有する。
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
駆動部が設けられた第１アームと、
前記第１アームに設けられ、前記駆動部によって前記第１アームに対して回動する第２アームと、
前記第１アームに第１固定部により固定され、前記第２アームに第２固定部により固定された可撓性部材と、を備え、
前記可撓性部材は、前記第１固定部と前記第２固定部との間に配置された折り返し部と、前記第１固定部と前記折り返し部との間に配置された第１部分と、前記第２固定部と前記折り返し部との間に配置された第２部分と、を有し、
前記第１部分または前記第２部分は、前記第１アームと前記第２アームとのなす角度が最大のとき、移動しない部分を有することを特徴とするロボット。
【請求項２】
前記可撓性部材は、長尺状をなしており、
前記第２アームは、前記第１アームに設けられており、
前記折り返し部、前記第１部分および前記第２部分を配置する部分の外径をＸ、前記折り返し部、前記第１部分および前記第２部分を配置する部分の前記第２アームが回動する回動軸の軸方向の長さをＹ、前記可撓性部材の直径をＺとしたとき、
前記等しい部分の長手方向の長さは、［（Ｘ−Ｚ）×π／２−Ｙ／２］の半分よりも短い請求項１に記載のロボット。
【請求項３】
前記可撓性部材を２つ有する請求項１または２に記載のロボット。
【請求項４】
一方の前記可撓性部材の前記折り返し部と、他方の前記可撓性部材の前記折り返し部とは、対向するように配置されている請求項３に記載のロボット。
【請求項５】
前記可撓性部材は、配線または配管を有する請求項１ないし４のいずれか１項に記載のロボット。
【請求項６】
前記可撓性部材は、長尺状をなし、
前記第２アームは、前記第１アームに設けられており、
前記第２アームの最大回動角度をθ（°）、前記折り返し部、前記第１部分および前記第２部分を配置する部分の外径をＸ、前記折り返し部、前記第１部分および前記第２部分を配置する部分の前記第２アームが回動する回動軸の軸方向の長さをＹ、前記可撓性部材の直径をＺ、前記第１固定部または前記第２固定部による固定に必要な前記可撓性部材の前記回動軸の軸方向と垂直な方向の長さをＣとしたとき、前記θ、前記Ｘ、前記Ｙ、前記Ｚおよび前記Ｃは、下記（１）式を満たすように設定される請求項１に記載のロボット。
［（Ｘ−Ｚ）×π／２−Ｙ／２］−［（Ｘ−Ｚ）×π／４×θ／１８０］−Ｃ＞０・・・・・（１）